(57)【要約】【課題】  本発明は、折板屋根の軒下側に取り付けられる軒樋に雪解け水が凍結して氷柱を形成する既存の軒樋に代えて、折板屋根の軒先を覆い包むように改良施工ができるつらら防止軒樋を得ることを目的とする。【解決手段】  本発明のつらら防止軒樋は、折板屋根１の軒先から突出するように屋根傾斜方向に沿って所定間隔で折板山部上に固定されたＬ字状のアングル２と、該Ｌ字状のアングル２の突出先端に桁行き方向に沿って排水用長樋となるように固定された略Ｕ字状の鋼板カバー３と、該鋼板カバー３と家屋壁面４との間の折板屋根１の軒下裏側を覆って断熱する上げ裏用断熱材５と、前記Ｌ字状のアングル２間及び前記鋼板カバー３の上部開口を桁行き方向に沿って被う屋根カバー６とから構成され、前記鋼板カバー３の底部内面には樋カバー７を配置し暖気を前記鋼板カバー３全体に行き渡らせる。【選択図】  図１
2006291549.tif 000002
【特許請求の範囲】
【請求項１】
折板屋根の軒先から突出するように屋根傾斜方向に沿って所定間隔で折板山部上に固定されたＬ字状のアングルと、該Ｌ字状のアングルの突出先端に桁行き方向に沿って排水用長樋となるように固定された略Ｕ字状の鋼板カバーと、該鋼板カバーと家屋壁面との間の折板屋根の軒下裏側を覆って断熱する上げ裏用断熱材と、前記Ｌ字状のアングル間及び前記鋼板カバーの上部開口を桁行き方向に沿って被う屋根カバーとから構成されることを特徴とするつらら防止軒樋。
【請求項２】
前記鋼板カバーの底部内面には樋カバーを配置して底部との間に空間を形成し、ドレンパイプヒーターの暖気を前記鋼板カバー全体に行き渡らせるようにしたことを特徴とする請求項１記載のつらら防止軒樋。
【発明の詳細な説明】
【技術分野】
【０００１】
本発明は、折板屋根の軒先に取り付けられる軒樋に関し、特に雪解け水が凍結して氷柱を形成する既存の軒樋に代えて折板屋根の軒先を覆い包むように形成したつらら防止軒樋に関する。
【背景技術】
【０００２】
従来、雪国では折板屋根の軒先に軒樋が取り付けられるが、軒先に取り付けられる軒樋が屋根を滑り落ちる雪により破壊されることがないように軒下側に取り付けられる。
軒樋が軒下側に取り付けられるため、折板屋根の谷間底部に排水孔を設けて雨水を軒樋に集水するようになっている。
この構造であると、冬期に雪解け水が凍って排水孔を塞ぎ、該排水孔を越えて軒先から氷柱が垂れ下がって落下事故原因となり危険であった。
これを防止するため、折板屋根の軒先を覆い包むように形成された折板屋根用軒樋が公知となっている（特許文献１を参照）。
上記公知技術は、桁行き方向へ連続する水路空間を確保すると共に折板屋根の軒先を覆い包むべく形成された本体部と、側方から折板屋根の軒先を挿入すべく形成されると共に前記水路空間に連通した取付開口部とを備え、前記取付開口部は折板屋根の上面に止着される開口上縁部と、同折板屋根の下面に止着される開口下縁部とを有し、前記開口上縁部には上方へ立ち上がると共に桁行き方向へわたる雪止部が形成されている折板屋根用軒樋である。
またその他に、本出願人が考案した軒樋に接続した垂直排水管の凍結を防止するドレンパイプヒーターが公知となっている（特許文献２を参照）。
【特許文献１】特開２００２‐２２７３５５号公報
【特許文献２】実用新案登録第３０８９０８１号公報
【発明の開示】
【発明が解決しようとする課題】
【０００３】
本発明は、折板屋根の軒下側に取り付けられる軒樋に雪解け水が凍結して氷柱を形成する既存の軒樋に代えて、折板屋根の軒先を覆い包むように改良施工ができるつらら防止軒樋を得ることを目的とする。
【課題を解決するための手段】
【０００４】
本発明のつらら防止軒樋は、折板屋根の軒先から突出するように屋根傾斜方向に沿って所定間隔で折板山部上に固定されたＬ字状のアングルと、該Ｌ字状のアングルの突出先端に桁行き方向に沿って排水用長樋となるように固定された略Ｕ字状の鋼板カバーと、該鋼板カバーと家屋壁面との間の折板屋根の軒下裏側を覆って断熱する上げ裏用断熱材と、前記Ｌ字状のアングル間及び前記鋼板カバーの上部開口を桁行き方向に沿って被う屋根カバーとから構成される。
さらに、前記鋼板カバーの底部内面には樋カバーを配置して底部との間に空間を形成し、ドレンパイプヒーターの暖気を前記鋼板カバー全体に行き渡らせるようにした。
【発明の効果】
【０００５】
本発明のつらら防止軒樋は、折板屋根の軒下側に取り付けられる軒樋に雪解け水が凍結して氷柱を形成する既存の軒樋に代えて、折板屋根の軒先を覆い包むため、新築でなくても折板屋根の軒先に氷柱が形成されるのを防止することが出来る。
【発明を実施するための最良の形態】
【０００６】
本発明のつらら防止軒樋の一実施例を図面に基づいて、以下に説明する。
本発明のつらら防止軒樋は、図１の全体斜視図に示すように、折板屋根１の軒先から突出するように屋根傾斜方向に沿って所定間隔で折板山部上に固定されたＬ字状のアングル２と、該Ｌ字状のアングル２の突出先端に桁行き方向に沿って排水用長樋となるように固定された略Ｕ字状の鋼板カバー３と、該鋼板カバー３と家屋壁面４との間の折板屋根１の軒下裏側を覆って断熱する上げ裏用断熱材５と、前記Ｌ字状のアングル２間及び前記鋼板カバー３の上部開口を桁行き方向に沿って被う屋根カバー６とから構成される。
なお、前記鋼板カバー３の底部内面には後述する樋カバー７を配置し暖気を前記鋼板カバー３全体に行き渡らせると共に、前記鋼板カバー３底部の適宜位置にはドレンパイプヒーター（特許文献２を参照）を備えた垂直排水管８が接続される。
【０００７】
図２に示すように、前記鋼板カバー３は、長方形の塩ビ鋼板を長手方向端部から所定間隔を空けて直角に折り曲げて長辺側壁９を形成し、引き続き所定間隔を空けて直角に折り曲げて底部１０を形成し、更に直角に折り曲げて短辺側壁１１を形成した略Ｕ字状の樋構造をなし、前記長辺側壁９及び前記短辺側壁１１の端縁部を所定幅で折板屋根１側に折り返して上部取付片１２及び下部取付片１３をそれぞれ形成する。
そして、前記上部取付片１２には、前記アングル２に固定するためのボルト挿入穴１４を複数個形成し、さらに前記下部取付片１３には、前記折板屋根１に固定するためのボルト挿入穴１４と前記アングル２と一体に連結するための図７に示す貫通ボルト１５をそれぞれ複数個設ける。
【０００８】
図３に示すように、前記樋カバー７は塩ビ鋼板の円弧状をなし、前記鋼板カバー３の底部１０内面に底部１０との間に空間を形成するように配置し、該樋カバー７の長手方向の両側には所定間隔で円形の通気穴１６を複数個形成する。
前記樋カバー７は、垂直排水管８のドレンパイプヒーターからの暖気が前記鋼板カバー３全体に行き渡るように設けたものであり、前記樋カバー７自体が温められると共に暖気の一部が前記通気穴１６から洩れて屋根カバー６で覆われた折板屋根１の軒先を暖めるようになっている。
【０００９】
前記樋カバー７は、図３の形状に限らず、底部１０との間に空間を形成し、且つ暖気の一部が前記樋カバー７から洩れて屋根カバー６で覆われた折板屋根１の軒先を暖めるようになっていればよい。
したがって、図４に示す樋カバー７の長手方向の両側にメッシュ１７を設けたもの、図５に示す樋カバー７の長手方向の両側に所定間隔で矩形の通気穴１６を設けたもの、図６に示す樋カバー７の長手方向の両側に所定間隔で切込を入れ内側に折り曲げて折曲溝１８を設けたもの等に設計変更可能である。
また、前記樋カバー７は、図４の円弧状断面に限らず、図５の三角形状断面や図６の五角形状断面等に設計変更可能である。
【００１０】
次に、本発明のつらら防止軒樋の組立施工について、以下に図面に基づいて説明する。
先ず、図７に示すように、最初に折板屋根１の軒先下部に設けた既存の角樋（図示せず）を撤去し、家屋壁面４にＬ型アングル１９を取り付け、折板屋根１の谷部２０の排水孔２１の下部に上げ裏用断熱材５を当てて排水孔２１を塞ぐと共に折板屋根１の軒先下部を寒風に曝されるのを防ぐ。
そして、折板屋根１の山部２２に固定したＬ字状のアングル２の先端に折板屋根１の軒先を囲むように鋼板カバー３を取付け、上部取付片１２とアングル２をボルトナットで固定すると共に、下部取付片１３とアングル２とに貫通ボルト１５を貫通して上げ裏用断熱材５と鋼板カバー３と一体に固定する。
その後、Ｌ字状のアングル２間及び前記鋼板カバー３の上部開口を桁行き方向に沿って屋根カバー６で被う。
したがって、屋根カバー６と折板屋根１との間には断面Ｖ字形の空間が形成される。
そして寒冷時には、垂直排水管８のドレンパイプヒーターからの暖気が、鋼板カバー３の底部１０と樋カバー７の間の空間を通り、樋カバー７の長手方向全体に行き渡り樋カバー７自体を温めると共に、暖気の一部が通気穴１６から洩れて屋根カバー６で覆われた折板屋根１の軒先を暖める。
このようにして暖めることにより、鋼板カバー３の樋部及び鋼板カバー３と屋根カバー６に囲まれた空間の折板屋根１の軒先に氷柱が形成されるのを防止することが出来る。
【図面の簡単な説明】
【００１１】
【図１】本発明のつらら防止軒樋の全体斜視図である。
【図２】鋼板カバーの全体斜視図である。
【図３】樋カバーの全体斜視図である。
【図４】樋カバーの他の実施例の全体斜視図である。
【図５】樋カバーの他の実施例の全体斜視図である。
【図６】樋カバーの他の実施例の全体斜視図である。
【図７】本発明のつらら防止軒樋の要部断面図である。
【符号の説明】
【００１２】
１  折板屋根
２  アングル
３  鋼板カバー
４  家屋壁面
５  上げ裏用断熱材
６  屋根カバー
７  樋カバー
８  排水管
９  長辺側壁
１０  底部
１１  短辺側壁
１２  上部取付片
１３  下部取付片
１４  ボルト挿入穴
１５  貫通ボルト
１６  通気穴
１７  メッシュ
１８  折曲溝
１９  アングル
２０  谷部
２１  排水孔
２２  山部
【図１】
2006291549.tif 000003
【図２】
2006291549.tif 000004
【図３】
2006291549.tif 000005
【図４】
2006291549.tif 000006
【図５】
2006291549.tif 000007
【図６】
2006291549.tif 000008
【図７】
2006291549.tif 000009